【手続補正書】
【提出日】平成25年11月22日(2013.11.22)
【手続補正１】
【補正対象書類名】明細書
【補正対象項目名】０００９
【補正方法】変更
【補正の内容】
【０００９】
上記目的を達成するため、本発明の第１の観点にかかる情報表示システムは、
撮像機能を備え、外部から提供された情報を撮像画像上に重畳表示する情報表示装置と、
前記情報表示装置による撮像画像上に重畳させる情報を前記情報表示装置に提供する情報提供装置と、から構成された、拡張現実感（ＡＲ）による情報表示をおこなう情報表示システムにおいて、
前記情報表示装置は、
前記撮像機能により撮像された撮像画像から３Ｄモデリングデータを生成する３Ｄモデリングデータ生成手段と、
前記撮像画像における被写体を照合するための照合画像を前記情報提供装置から取得する照合画像取得手段と、
前記３Ｄモデリングデータと前記照合画像双方の特徴点及び／又は特徴量に基づいて、該３Ｄモデリングデータの視線方向を変更する視線変更手段と、
前記視線変更手段により変更される視線方向に基づいて前記３Ｄモデリングデータにおける被写体と前記照合画像取得手段により取得された照合画像における被写体とを照合する照合手段と、
前記照合手段により前記３Ｄモデリングデータにおける被写体と前記照合画像における被写体とが照合された場合、前記３Ｄモデリングデータにおける被写体に対応する前記撮像画像における被写体に、前記情報提供装置から提供された情報を重畳して表示するＡＲ表示手段と、
を備えることを特徴とする。
【手続補正２】
【補正対象書類名】明細書
【補正対象項目名】００１１
【補正方法】変更
【補正の内容】
【００１１】
上記目的を達成するため、本発明の第２の観点にかかる情報表示装置は、
撮像手段と、外部装置との通信をおこなう通信手段と、前記撮像手段による撮像画像に前記外部装置から提供された情報を重畳表示させる表示手段と、を備えた拡張現実感（ＡＲ）による情報表示をおこなう情報表示装置であって、
前記撮像手段により撮像された撮像画像から３Ｄモデリングデータを生成する３Ｄモデリングデータ生成手段と、
前記撮像画像における被写体を照合するための照合画像を前記外部装置から取得する照合画像取得手段と、
前記３Ｄモデリングデータと前記照合画像双方の特徴点及び／又は特徴量に基づいて、該３Ｄモデリングデータの視線方向を変更する視線変更手段と、
前記視線変更手段により変更される視線方向に基づいて前記３Ｄモデリングデータにおける被写体と前記照合画像取得手段により取得された照合画像における被写体とを照合する照合手段と、
前記照合手段により前記３Ｄモデリングデータにおける被写体と前記照合画像における被写体とが照合された場合、前記３Ｄモデリングデータにおける被写体に対応する前記撮像画像における被写体に、前記情報提供装置から提供された情報を重畳して表示するＡＲ表示手段と、
を備えることを特徴とする。
【手続補正３】
【補正対象書類名】明細書
【補正対象項目名】００１４
【補正方法】変更
【補正の内容】
【００１４】
上記目的を達成するため、本発明の第３の観点にかかる情報表示装置は、
撮像機能を備えた情報表示装置と通信する通信手段を備えた、拡張現実感（ＡＲ）による情報表示にかかる情報を前記情報表示装置に提供する情報提供装置であって、
前記通信手段は、前記情報表示装置の撮像機能による撮像画像における被写体を照合するための３Ｄモデリングデータを該情報表示装置に送信する、
ことを特徴とする。
【手続補正４】
【補正対象書類名】明細書
【補正対象項目名】００１５
【補正方法】変更
【補正の内容】
【００１５】
上記情報提供装置において、
前記通信手段は、近距離ワイヤレス通信及び／又は可視光通信によって前記３Ｄモデリングデータを前記情報表示装置に提供してもよい。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
上記目的を達成するため、本発明の第４の観点にかかるプログラムは、
撮像手段と、外部装置との通信をおこなう通信手段と、前記撮像手段による撮像画像に前記外部装置から提供された情報を重畳表示させる表示手段と、を備えた拡張現実感（ＡＲ）による情報表示をおこなう情報表示装置を制御するコンピュータに、
前記撮像手段により撮像された撮像画像から３Ｄモデリングデータを生成する機能と、
前記撮像画像における被写体を照合するための照合画像を前記外部装置から取得する機能と、
前記３Ｄモデリングデータと前記照合画像双方の特徴点及び／又は特徴量に基づいて、該３Ｄモデリングデータの視線方向を変更する機能と、
該視線方向を変更した３Ｄモデリングデータにおける被写体と前記照合画像における被写体とを照合する機能と、
前記３Ｄモデリングデータにおける被写体と前記照合画像における被写体とが照合された場合、前記３Ｄモデリングデータにおける被写体に対応する前記撮像画像における被写体に、前記情報提供装置から提供された情報を重畳して表示する機能と、
を実現させることを特徴とする。
【手続補正７】
【補正対象書類名】明細書
【補正対象項目名】００１８
【補正方法】変更
【補正の内容】
【００１８】
上記目的を達成するため、本発明の第５の観点にかかるプログラムは、
撮像機能を備えた情報表示装置と通信する通信手段を備えた、拡張現実感（ＡＲ）による情報表示にかかる情報を前記情報表示装置に提供する情報提供装置を制御するコンピュータに、
前記情報表示装置の撮像機能による撮像画像における被写体を照合するための３Ｄモデリングデータを該情報表示装置に送信する機能、
を実現させることを特徴とする。
【手続補正８】
【補正対象書類名】特許請求の範囲
【補正対象項目名】全文
【補正方法】変更
【補正の内容】
【特許請求の範囲】
【請求項１】
撮像機能を備え、外部から提供された情報を撮像画像上に重畳表示する情報表示装置と、
前記情報表示装置による撮像画像上に重畳させる情報を前記情報表示装置に提供する情報提供装置と、から構成された、拡張現実感（ＡＲ）による情報表示をおこなう情報表示システムにおいて、
前記情報表示装置は、
前記撮像機能により撮像された撮像画像から３Ｄモデリングデータを生成する３Ｄモデリングデータ生成手段と、
前記撮像画像における被写体を照合するための照合画像を前記情報提供装置から取得する照合画像取得手段と、
前記３Ｄモデリングデータと前記照合画像双方の特徴点及び／又は特徴量に基づいて、該３Ｄモデリングデータの視線方向を変更する視線変更手段と、
前記視線変更手段により変更される視線方向に基づいて前記３Ｄモデリングデータにおける被写体と前記照合画像取得手段により取得された照合画像における被写体とを照合する照合手段と、
前記照合手段により前記３Ｄモデリングデータにおける被写体と前記照合画像における被写体とが照合された場合、前記３Ｄモデリングデータにおける被写体に対応する前記撮像画像における被写体に、前記情報提供装置から提供された情報を重畳して表示するＡＲ表示手段と、
を備えることを特徴とする情報表示システム。
【請求項２】
前記情報提供装置は、前記照合画像に相当する３Ｄモデリングデータを前記情報表示装置に提供し、
前記情報表示装置は、前記情報提供装置から提供された３Ｄモデリングデータと、前記３Ｄモデリングデータ生成手段が生成した３Ｄモデリングデータで被写体の照合をおこなう、
ことを特徴とする請求項１に記載の情報表示システム。
【請求項３】
撮像手段と、外部装置との通信をおこなう通信手段と、前記撮像手段による撮像画像に前記外部装置から提供された情報を重畳表示させる表示手段と、を備えた拡張現実感（ＡＲ）による情報表示をおこなう情報表示装置であって、
前記撮像手段により撮像された撮像画像から３Ｄモデリングデータを生成する３Ｄモデリングデータ生成手段と、
前記撮像画像における被写体を照合するための照合画像を前記外部装置から取得する照合画像取得手段と、
前記３Ｄモデリングデータと前記照合画像双方の特徴点及び／又は特徴量に基づいて、該３Ｄモデリングデータの視線方向を変更する視線変更手段と、
前記視線変更手段により変更される視線方向に基づいて前記３Ｄモデリングデータにおける被写体と前記照合画像取得手段により取得された照合画像における被写体とを照合する照合手段と、
前記照合手段により前記３Ｄモデリングデータにおける被写体と前記照合画像における被写体とが照合された場合、前記３Ｄモデリングデータにおける被写体に対応する前記撮像画像における被写体に、前記情報提供装置から提供された情報を重畳して表示するＡＲ表示手段と、
を備えることを特徴とする情報表示装置。
【請求項４】
前記照合画像取得手段は、前記照合画像に相当する３Ｄモデリングデータを前記外部装置から取得し、
前記ＡＲ表示手段は、前記視線変更手段によって視線方向を変更した３Ｄモデリングデータと、前記照合画像取得手段が取得した３Ｄモデリングデータで被写体の照合をおこなう、
ことを特徴とする請求項３に記載の情報表示装置。
【請求項５】
前記照合画像取得手段は、近距離ワイヤレス通信及び／又は可視光通信によって、前記照合画像に相当する３Ｄモデリングデータを前記外部装置から取得する、
ことを特徴とする請求項３または４に記載の情報表示装置。
【請求項６】
撮像機能を備えた情報表示装置と通信する通信手段を備えた、拡張現実感（ＡＲ）による情報表示にかかる情報を前記情報表示装置に提供する情報提供装置であって、
前記通信手段は、前記情報表示装置の撮像機能による撮像画像における被写体を照合するための３Ｄモデリングデータを該情報表示装置に送信する、
ことを特徴とする情報提供装置。
【請求項７】
前記通信手段は、近距離ワイヤレス通信及び／又は可視光通信によって前記３Ｄモデリングデータを前記情報表示装置に提供する、
ことを特徴とする請求項６に記載の情報提供装置。
【請求項８】
撮像手段と、外部装置との通信をおこなう通信手段と、前記撮像手段による撮像画像に前記外部装置から提供された情報を重畳表示させる表示手段と、を備えた拡張現実感（ＡＲ）による情報表示をおこなう情報表示装置を制御するコンピュータに、
前記撮像手段により撮像された撮像画像から３Ｄモデリングデータを生成する機能と、
前記撮像画像における被写体を照合するための照合画像を前記外部装置から取得する機能と、
前記３Ｄモデリングデータと前記照合画像双方の特徴点及び／又は特徴量に基づいて、該３Ｄモデリングデータの視線方向を変更する機能と、
該視線方向を変更した３Ｄモデリングデータにおける被写体と前記照合画像における被写体とを照合する機能と、
前記３Ｄモデリングデータにおける被写体と前記照合画像における被写体とが照合された場合、前記３Ｄモデリングデータにおける被写体に対応する前記撮像画像における被写体に、前記情報提供装置から提供された情報を重畳して表示する機能と、
を実現させることを特徴とするプログラム。
【請求項９】
撮像機能を備えた情報表示装置と通信する通信手段を備えた、拡張現実感（ＡＲ）による情報表示にかかる情報を前記情報表示装置に提供する情報提供装置を制御するコンピュータに、
前記情報表示装置の撮像機能による撮像画像における被写体を照合するための３Ｄモデリングデータを該情報表示装置に送信する機能、
を実現させることを特徴とするプログラム。